(57)【要約】      （修正有）【課題】ハウリングの発生を自動的に防止する手段を備えた音響機器を提供する。【解決手段】入力信号レベルが小さい時は騒音下での語音了解度を上げるため低域抑制特性とし、丁度聞き取り易い大きさのレベル（マイクロホン入力換算レベルＳＰＬ７０ｄＢ程度）の時はフラット特性になり、入力信号レベルが大きい時は高音抑制型の特性になる音質調整器を備える。【選択図】図６
2015012600.tif 000002
【特許請求の範囲】
【請求項１】
音声など音響信号を採取して増幅し放出する音響機器において、音響入力信号レベルに対応して自動的に周波数特性が変化するように設定されたことを特徴とする音響機器の構成
【請求項２】
音響機器が補聴器であることを特徴とする第１項記載の音響機器の構成
【請求項３】
周波数特性の変化がほぼ＋６ｄＢ／オクタ−ブからほぼ−６ｄＢ／オクタ−ブの間で変化することを特徴とする第１項、第２項記載の音響機器の構成
【請求項４】
周波数特性の変化がほぼ＋６ｄＢ／オクタ−ブからほぼ−６ｄＢ／オクタ−ブの間で入力信号レベルに対応して連続的に変化することを特徴とする第１項、第２項記載の音響機器の構成
【請求項５】
周波数特性の変化がほぼ＋６ｄＢ／オクタ−ブからほぼ−６ｄＢ／オクタ−ブの間で入力信号レベルに対応して非連続的に切り替えられることを特徴とする第１項、第２項記載の音響機器の構成
【発明の詳細な説明】
【技術分野】
【０００１】マイクロホンなどで採取した入力音響信号を増幅してスピーカなどから出力する音響機器の改良に係る。
【背景技術】
【０００２】ここに述べる音響機器の例としてハンドマイク、拡声器、補聴器、パブリック放送器、携帯電話などがあげられる。これらは広く世界に普及使用されているが共通の諸欠点を保有している。
【発明の開示】
【発明が解決しようとする課題】
【０００３】その欠点の最大のものはハウリングの発生と調整手順の複雑さである。
【課題を解決するための手段】
【０００４】発明者出願者は既に音質調整回路の新規発明として米国特許、中国特許および韓国特許を取得している。
米国特許  ＵＳ７７１５５７９Ｂ２  中国特許８５５７１２号  韓国特許１０−１００９０６５号
この発明は音質調整用に周波数特性を連続的に＋６ｄＢ／オクタ−ブから−６ｄＢ／オクタ−ブまで連続的に可変できる回路で、可変シーソーの支点周波数が固定されているものである。
これを以後周波数シーソー回路と称する。【０００５】この基本特許は可変素子であるボリウムを手動などで変化させて周波数特性を制御するものであった。
本発明ではこの周波数シーソー回路の制御を入力信号のレベルによって自動的に行うところに骨子がある。
補聴器では会話音が小さいときは騒音によるマスキングを防ぐため＋６ｄＢ／オクタ−ブの周波数特性をとることが薦められている。
また中等度の入力レベルのときは周波数特性を平坦にし、大入力のときは高周波域で過大な耳への刺激を避けるため−６ｄＢ／オクタ−ブの周波数特性が推奨されている。
東京学芸大學名誉教授故大和田健次郎博士は補聴器分野の権威であったが氏の理想とする補聴器はこの特性を自動的に実現する補聴器であった。
【発明の効果】
【０００６】この構成をもつ補聴器は使用者の調整箇所がほとんどないため一般難聴者が極めて容易に使用可能である。
使用者は周波数特性を状況に応じて調整する手間から完全に開放されどんな状況でも最適の周波数特性で補聴器を使用することが出来る。
スピーカから発音する音響機器、拡声器ハンドマイクなどで本構成を用いるとハウリングの発生しかかりによって入力が大きくなるので周波数特性が自動的に−６ｄＢ／オクタ−ブになり、高域の増幅度が下がるので結果的にハウリングを防止することが出来る。
（通常の状態ではハウリングは高周波域にて発生し周波数は４ｋｈｚ程度となることが多い）
補聴器もハウリングに悩む機器であるが同様にハウリング防止にも著しい効果が期待できる。
【発明を実施するための最良の形態】
【０００７】図によって説明する。
図１は周波数シーソー回路である。
詳細は米国特許に示したので概略を述べる。
２組の直列Ｃ，Ｒをオペアンプ１の出力と信号入力間に置く。第１のＣ，Ｒと第２のＣ，Ｒとは逆向き接続とする。
２組のＣ，Ｒはそれぞれ同一値とし、１／２πｆＣ＝Ｒのような値にする。
ｆはシーソーの支点周波数となるので通常使用周波数帯域の中心周波数に選ぶ。
この両Ｃ，Ｒの接続点同士をボリウムＶＲでつなぎ、そのタップをオペアンプ１の負入力につなぐ。
ＶＲがどちらかのＣ、Ｒの接続点にあるとき回路は公知の微分回路あるいは積分回路となるので周波数特性は厳密に＋６ｄＢ／オクタ−ブあるいは−６ｄＢ／オクタ−ブとなり、その中間では連続的にこの中間特性を取る。ＶＲがちょうど中間点にあるときは＋６ｄＢ／オクタ−ブと−６ｄＢ／オクタ−ブの中間すなわち平坦特性をとる。
これを図５に示す。この例ではシーソーの支点周波数ｆを１ｋＨｚにとってある。
この手動ボリウムＶＲの操作を自動で行って特性を可変するのが本発明の根本である。
図２にその実施例を示す。
信号入力を入力端子２からアンプ４に入れその出力を検波平滑器５でレベル平均値に直す。
この値でＶＲを操作する。
その具体的方法は多種考えられるので詳細は省くがたとえばボリウム軸にモータを付けて指定角度回転させても良い。
入力信号レベルとボリウム回転角との関係を図３のように指定してサーボ系で駆動させれば容易に可能である。
図の縦軸はボリウムの回転角度、横軸は検波平滑器５の出力である。
このようなアナロガスな駆動をもちいれば図５のような連続的な周波数特性が得られる。
このような構成で入力信号レベルが＋１０ｄＢから−１０ｄＢまで変化したときの周波数特性の変化を示したのが第６図である。
図において入力信号が−１０ｄＢのときにとる周波数特性が＋６ｄＢ／オクタ−ブで図中６−１で示す。入力信号が０ｄＢのときには図中の６−２すなわち平坦特性となる。入力信号が＋１０ｄＢのときには図中の６−３すなわち−６ｄＢ／オクタ−ブの周波数特性をとるようになる。
この例ではシーソーの支点周波数を１ｋＨｚにとってある。
別に図４のようなスイッチ操作による実施も可能である。
この方式では周波数特性は３種に限られその中間値を取ることは不可能となるが実用的にはこれで十分なことがある。
この方式ではスイッチ７の切り替えを第２図の検波平滑器出力５によって行う。
スイッチ７に電子スイッチ（アナログスイッチ）を使用すれば純電子式の系となる。
【図面の簡単な説明】
【０００８】
【図１】周波数シーソー回路
【図２】操作回路
【図３】操作特性
【図４】スイッチ方式の回路
【図５】周波数シーソー回路の特性
【図６】入力レベルが変わったときの周波数シーソー回路の特性
【符号の説明】
【０００９】    １  オペアンプ          ２  入力端子
３  出力端子            ４  アンプ
５  検波平滑器          ７  スイッチ
Ｃ  コンデンサ          Ｒ  抵抗器
ＶＲ  ボリウム
【図１】
2015012600.tif 000003
【図２】
2015012600.tif 000004
【図３】
2015012600.tif 000005
【図４】
2015012600.tif 000006
【図５】
2015012600.tif 000007
【図６】
2015012600.tif 000008